(57)【要約】  本技術による撮像装置は、外装ケース（４Ａ）の背面側に配置され、撮像ユニットからの信号を処理する半導体（１０）を搭載した回路基板（１１）と、外装ケース内において撮像ユニットと回路基板（１１）との間に配置された金属板（１２）とを有する。金属板（１２）は、回路基板（１１）に対向し、半導体（１０）に当接部材（１３）を介して機械的に接触する第１の部分（１２Ａ）と、第１の部分（１２Ａ）に一体に設けられ、光軸方向と平行になるように折り曲げることにより形成した少なくとも２つの第２の部分（１２Ｂ）、（１２Ｃ）とを備えている。
2014136413.tif 000002
【特許請求の範囲】
【請求項１】
外装ケース内に収容され、被写体を撮像する撮像ユニットと、前記外装ケース内において背面側に配置され、前記撮像ユニットからの信号を処理する半導体を搭載した回路基板と、前記外装ケース内において前記撮像ユニットと回路基板との間に配置され、前記外装ケースに固定された金属板とを有し、
前記金属板は、前記回路基板に対向し、前記半導体に当接部材を介して機械的に接触する第１の部分と、前記第１の部分に一体に設けられ、前記撮像ユニットの光軸方向に折り曲げた少なくとも２つの第２の部分とを備えたことを特徴とする撮像装置。
【請求項２】
前記金属板は、三脚座を支持する金属板に機械的に接続されるように構成した請求項１に記載の撮像装置。
【請求項３】
前記三脚座を支持する金属板は、三脚座の両側に光軸方向と同一方向となるように形成したリブを有することを特徴とする請求項２に記載の撮像装置。
【請求項４】
外装ケース内において被写体側の前面側に配置され、被写体を撮像する光学系と撮像素子とから構成される撮像ユニットと、前記外装ケース内において背面側に配置され、前記撮像ユニットからの信号を処理する半導体を搭載した回路基板と、前記外装ケース内において前記撮像ユニットと回路基板との間に配置され、前記外装ケースに固定された金属板とを有し、
前記金属板は、前記回路基板に対向し、前記半導体に当接部材を介して機械的に接触する第１の部分と、前記第１の部分に一体に設けられ、前記撮像ユニットの光軸方向に折り曲げた少なくとも２つの第２の部分とを備え、
前記金属板の下部に設けた第２の部分に三脚座を支持して配置したことを特徴とする撮像装置。
【請求項５】
前記金属板の三脚座を支持する第２の部分は、三脚座の両側に光軸方向と同一方向となるように形成したリブを有することを特徴とする請求項４に記載の撮像装置。
【請求項６】
前記金属板の第１の部分は、半導体に機械的に接触する部分と三脚座を支持する第２の部分との間に、スリットを有することを特徴とする請求項５に記載の撮像装置。
【発明の詳細な説明】
【技術分野】
【０００１】
本技術は、デジタルカメラなどの撮像装置に関する。
【背景技術】
【０００２】
レンズ交換式のデジタルカメラなどの撮像装置においては、レンズの重量の増加や、撮像装置の小型化により、レンズ装着時の重心位置がレンズ側に移動している傾向にある。このため、デジタルカメラを落下させてしまった場合、レンズ側の前方から落下する危険性が高まる。前方から落下した場合、特にカメラ内部の基板が大きく振動するため、基板上の半導体が破損する可能性がある。【０００３】
このような課題を解決するために、内部に支持部材を追加して配置することで、撮像装置全体の剛性を高めた構造が考えられている（例えば、特許文献１参照）。
【先行技術文献】
【特許文献】
【０００４】
【特許文献１】特開２００８−２２７６１５号公報
【発明の概要】
【０００５】
本技術の撮像装置は、外装ケース内に収容され、被写体を撮像する撮像ユニットと、外装ケース内において背面側に配置され、撮像ユニットからの信号を処理する半導体を搭載した回路基板と、外装ケース内において撮像ユニットと回路基板との間に配置され、外装ケースに固定された金属板とを有する。金属板は、回路基板に対向し、半導体に当接部材を介して機械的に接触する第１の部分と、第１の部分に一体に設けられ、撮像ユニットの光軸方向に折り曲げた少なくとも２つの第２の部分とを備えた。
【図面の簡単な説明】
【０００６】
【図１】図１は、本技術の一実施の形態によるレンズ交換式のデジタルカメラの外観を示す斜視図である。
【図２】図２は、図１に示すデジタルカメラを下部側から見た斜視図である。
【図３】図３は、本技術の一実施の形態によるレンズ交換式のデジタルカメラのカメラ本体の内部構造を示す斜視図である。
【図４】図４は、撮像装置を落下させてしまった場合に回路基板が受ける変形の概念を示す説明図である。
【発明を実施するための形態】
【０００７】
以下、本技術の一実施の形態による撮像装置について、レンズ交換式のデジタルカメラを例にとって、適宜図面を参照しながら説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００８】
なお、発明者は、当業者が本技術を十分に理解するために添付図面および以下の説明を提供するのであって、これらによって請求の範囲に記載の主題を限定することを意図するものではない。
【０００９】
図１は、本技術の一実施の形態によるレンズ交換式のデジタルカメラの外観を示す斜視図である。図２は、図１に示すデジタルカメラを下部側から見た斜視図である。
【００１０】
図１に示すように、デジタルカメラは、カメラ本体１と、カメラ本体１の前面側に着脱可能に装着され、撮像素子に被写体像を形成するための光学系を構成するレンズユニット２とから構成される。
【００１１】
レンズユニット２は、フォーカスレンズ、ズームレンズ、絞り等の光学系を有しており、これらの光学系と、それぞれに対応したＤＣモータやステッピングモータ等の駆動部とを、鏡筒３に収容することにより構成される。なお、光学系を構成する各種レンズは、複数枚のレンズ、または複数のレンズ群により構成される。
【００１２】
カメラ本体１は、撮像素子を有する撮像ユニット（図示せず）を含め、カメラ全体の動作を制御するコントローラ部（図示せず）などを外装ケース４内に収容することにより構成されている。また、カメラ本体１の外装ケース４の上部には、レリーズ釦５や操作レバー６などの操作部と、電子ビューファインダー７などが配置され、背面側には、液晶パネルなどの表示部８が配置されている。
【００１３】
また、図２に示すように、カメラ本体１の下部には、三脚の取付部が取り付けられる三脚座９が配置されている。
【００１４】
図３は、本技術の一実施の形態によるレンズ交換式のデジタルカメラのカメラ本体の内部構造を示す斜視図である。なお、図３においては、外装ケース４において、レンズユニット２が装着される前面側のケースと、撮像ユニットは省略している。
【００１５】
図３に示すように、カメラ本体１の外装ケース４内において、背面側のケース４Ａには、撮像ユニットからの信号を処理するとともに、カメラ全体を制御するためのコントローラ部を構成する半導体１０を搭載した回路基板１１が配置されている。また、外装ケース４内において、撮像ユニットと回路基板１１との間には、アルミニウムやステンレスなどの熱伝導性の良好な金属からなる金属板１２が配置されている。金属板１２は、回路基板１１とともに、図３の一点鎖線で示すように、背面側のケース４Ａに固定される。
【００１６】
金属板１２は、回路基板１１に対向する平板形状の第１の部分１２Ａと、第１の部分１２Ａの上部と下部の少なくとも２箇所に一体に設けられた第２の部分１２Ｂ、１２Ｃとを有する。第１の部分１２Ａは、半導体１０に熱伝導が良好な部材からなる当接部材１３を介して機械的に接触する盛上り部１２Ｄを有する。また、第２の部分１２Ｂ、１２Ｃは、撮像ユニットの光軸方向に平行となるように折り曲げることにより形成されている。なお、第２の部分１２Ｂ、１２Ｃは、第１の部分１２Ａの上部と下部の２箇所に一体に形成したが、撮像ユニットの光軸方向と平行になるように折り曲げて形成できれば、これ以外の部分に形成してもよい。
【００１７】
また、金属板１２の下部に設けられた第２の部分１２Ｃには、三脚座９が支持されて配置されている。この三脚座９は、図２に示すように、外装ケース４の下部に固定されて配置される。さらに、金属板１２の三脚座９を支持する第２の部分１２Ｃは、三脚座９の両側に、光軸方向と同一方向となるように形成した２本のリブ１２Ｅを有する。このリブ１２Ｅは、金属板１２の第２の部分１２Ｃに押し出し加工を施すことにより一体に形成されている。
【００１８】
さらに、金属板１２の第１の部分１２Ａにおいて、半導体１０に機械的に接触する部分である盛上り部１２Ｄと三脚座を支持する第２の部分１２Ｃとの間には、第１の部分１２Ａの一部を切り欠いて第２の部分１２Ｂ、１２Ｃとほぼ平行となるような方向に切り起こすことにより、スリット１２Ｆが形成されている。
【００１９】
ここで、図３に示す例では、金属板１２の第２の部分１２Ｃに三脚座９を固定したが、金属板１２とは別に、三脚座９を支持する金属板を設け、金属板１２に三脚座９を支持する金属板を機械的に接続する構成としてもよい。この場合、三脚座９を支持する金属板に、光軸方向と同一方向となるように２本のリブ１２Ｅを形成すればよい。
【００２０】
本技術による撮像装置は、外装ケース４背面側に配置され、撮像ユニットからの信号を処理する半導体１０を搭載した回路基板１１と、外装ケース４内において撮像ユニットと回路基板１１との間に配置された金属板１２とを有する。金属板１２は、回路基板１１に対向し、半導体１０に当接部材１３を介して機械的に接触する第１の部分１２Ａと、第１の部分１２Ａに一体に設けられ、光軸方向と平行になるように折り曲げることにより形成した少なくとも２つの第２の部分１２Ｂ、１２Ｃとを備えている。これにより、金属板１２は、平板の場合と比べ、光軸方向の変位に対する曲げ剛性を高めることが可能となる。また、金属板１２は、当接部材１３を介して、半導体１０および回路基板１１と間接的に機械的に接触しており、これにより半導体１０と回路基板１１は、撮像装置を落下させてしまった場合に受ける衝撃などにより変形させようとする力を受けにくくなる。
【００２１】
図４は、撮像装置を落下させてしまった場合に回路基板が受ける変形の概念を示す説明図である。なお、図４は、図３の矢印Ｘ方向から回路基板１１を見たときの変形の様子を示している。撮像装置を落下させてしまった場合に受ける衝撃などにより、回路基板１１は、図４の一点鎖線で示すように、変形させようとする力が働き、回路基板１１および半導体１０が破損してしまうおそれがある。本技術によれば、金属板１２の曲げ剛性が高まり、さらに半導体１０および回路基板１１は、金属板１２に間接的に機械的に接触していることから、回路基板１１の変形を抑制することが可能となる。
【００２２】
また、金属板１２は、第２の部分１２Ｃにより三脚座９を支持する構造、または三脚座９を支持する別の金属板に機械的に接続する構造とし、さらに三脚座９の両側に光軸方向と同一方向となるように形成したリブを有する構造としている。これにより、三脚座９を支持する部分の曲げ剛性も高めることができ、光軸方向に対して上下方向の変形を抑制することが可能となる。
【００２３】
さらに、金属板１２の第１の部分１２Ａにおいて、半導体１０に機械的に接触する部分である盛上り部１２Ｄと三脚座９を支持する第２の部分１２Ｃとの間には、第１の部分１２Ａの一部を切り欠いて第２の部分１２Ｂ、１２Ｃとほぼ平行となるような方向に切り起こすことにより、スリット１２Ｆが形成されている。これにより、スリット１２Ｆがない場合に比べ、半導体１０から伝わる熱が三脚座９側に熱伝導しにくくなり、三脚座９が熱くなることを防ぐことができる。しかも、スリット１２Ｆは、金属板１２の一部を、第２の部分１２Ｂ、１２Ｃとほぼ平行となるような方向に切り起こすことにより形成しており、さらに金属板１２の光軸方向の変位に対する曲げ剛性を高めることができる。
【００２４】
以上のように、本技術における技術の例示として、実施の形態を説明した。そのために、添付図面および詳細な説明を提供した。
【００２５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００２６】
また、上述の実施の形態は、本技術における技術を例示するためのものであるから、請求の範囲またはその均等の範囲において種々の変更、置き換え、付加、省略などを行うことができる。
【産業上の利用可能性】
【００２７】
本技術によれば、レンズ交換式のデジタルカメラなどの撮像装置の堅牢性を向上させる上で、有用な発明である。
【符号の説明】
【００２８】
１  カメラ本体
２  レンズユニット
３  鏡筒
４  外装ケース
５  レリーズ釦
６  操作レバー
７  電子ビューファインダー
８  表示部
９  三脚座
１０  半導体
１１  回路基板
１２  金属板
１２Ａ  第１の部分
１２Ｂ，１２Ｃ  第２の部分
１２Ｄ  盛上り部
１２Ｅ  リブ
１２Ｆ  スリット
１３  当接部材
【図１】
2014136413.tif 000003
【図２】
2014136413.tif 000004
【図３】
2014136413.tif 000005
【図４】
2014136413.tif 000006
【手続補正書】
【提出日】平成26年12月2日(2014.12.2)
【手続補正１】
【補正対象書類名】明細書
【補正対象項目名】全文
【補正方法】変更
【補正の内容】
【発明の詳細な説明】
【技術分野】
【０００１】
本技術は、デジタルカメラなどの撮像装置に関する。
【背景技術】
【０００２】
レンズ交換式のデジタルカメラなどの撮像装置においては、レンズの重量の増加や、撮像装置の小型化により、レンズ装着時の重心位置がレンズ側に移動している傾向にある。このため、デジタルカメラを落下させてしまった場合、レンズ側の前方から落下する危険性が高まる。前方から落下した場合、特にカメラ内部の基板が大きく振動するため、基板上の半導体が破損する可能性がある。
【０００３】
このような課題を解決するために、内部に支持部材を追加して配置することで、撮像装置全体の剛性を高めた構造が考えられている（例えば、特許文献１参照）。
【先行技術文献】
【特許文献】
【０００４】
【特許文献１】特開２００８−２２７６１５号公報
【発明の概要】
【０００５】
本技術の撮像装置は、外装ケース内に収容され、被写体を撮像する撮像ユニットと、外装ケース内において背面側に配置され、撮像ユニットからの信号を処理する半導体を搭載した回路基板と、外装ケース内において撮像ユニットと回路基板との間に配置され、外装ケースに固定された金属板とを有する。金属板は、回路基板に対向し、半導体に当接部材を介して機械的に接触する第１の部分と、第１の部分に一体に設けられ、撮像ユニットの光軸方向に折り曲げた少なくとも２つの第２の部分とを備えた。
【図面の簡単な説明】
【０００６】
【図１】図１は、本技術の一実施の形態によるレンズ交換式のデジタルカメラの外観を示す斜視図である。
【図２】図２は、図１に示すデジタルカメラを下部側から見た斜視図である。
【図３】図３は、本技術の一実施の形態によるレンズ交換式のデジタルカメラのカメラ本体の内部構造を示す斜視図である。
【図４】図４は、撮像装置を落下させてしまった場合に回路基板が受ける変形の概念を示す説明図である。
【発明を実施するための形態】
【０００７】
以下、本技術の一実施の形態による撮像装置について、レンズ交換式のデジタルカメラを例にとって、適宜図面を参照しながら説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００８】
なお、発明者は、当業者が本技術を十分に理解するために添付図面および以下の説明を提供するのであって、これらによって請求の範囲に記載の主題を限定することを意図するものではない。
【０００９】
図１は、本技術の一実施の形態によるレンズ交換式のデジタルカメラの外観を示す斜視図である。図２は、図１に示すデジタルカメラを下部側から見た斜視図である。
【００１０】
図１に示すように、デジタルカメラは、カメラ本体１と、カメラ本体１の前面側に着脱可能に装着され、撮像素子に被写体像を形成するための光学系を構成するレンズユニット２とから構成される。
【００１１】
レンズユニット２は、フォーカスレンズ、ズームレンズ、絞り等の光学系を有しており、これらの光学系と、それぞれに対応したＤＣモータやステッピングモータ等の駆動部とを、鏡筒３に収容することにより構成される。なお、光学系を構成する各種レンズは、複数枚のレンズ、または複数のレンズ群により構成される。
【００１２】
カメラ本体１は、撮像素子を有する撮像ユニット（図示せず）を含め、カメラ全体の動作を制御するコントローラ部（図示せず）などを外装ケース４内に収容することにより構成されている。また、カメラ本体１の外装ケース４の上部には、レリーズ釦５や操作レバー６などの操作部と、電子ビューファインダー７などが配置され、背面側には、液晶パネルなどの表示部８が配置されている。
【００１３】
また、図２に示すように、カメラ本体１の下部には、三脚の取付部が取り付けられる三脚座９が配置されている。
【００１４】
図３は、本技術の一実施の形態によるレンズ交換式のデジタルカメラのカメラ本体の内部構造を示す斜視図である。なお、図３においては、外装ケース４において、レンズユニット２が装着される前面側のケースと、撮像ユニットは省略している。
【００１５】
図３に示すように、カメラ本体１の外装ケース４内において、背面側のケース４Ａには、撮像ユニットからの信号を処理するとともに、カメラ全体を制御するためのコントローラ部を構成する半導体１０を搭載した回路基板１１が配置されている。また、外装ケース４内において、撮像ユニットと回路基板１１との間には、アルミニウムやステンレスなどの熱伝導性の良好な金属からなる金属板１２が配置されている。金属板１２は、回路基板１１とともに、図３の一点鎖線で示すように、背面側のケース４Ａに固定される。
【００１６】
金属板１２は、回路基板１１に対向する平板形状の第１の部分１２Ａと、第１の部分１２Ａの上部と下部の少なくとも２箇所に一体に設けられた第２の部分１２Ｂ、１２Ｃとを有する。第１の部分１２Ａは、半導体１０に熱伝導が良好な部材からなる当接部材１３を介して機械的に接触する盛上り部１２Ｄを有する。また、第２の部分１２Ｂ、１２Ｃは、撮像ユニットの光軸方向に平行となるように折り曲げることにより形成されている。なお、第２の部分１２Ｂ、１２Ｃは、第１の部分１２Ａの上部と下部の２箇所に一体に形成したが、撮像ユニットの光軸方向と平行になるように折り曲げて形成できれば、これ以外の部分に形成してもよい。
【００１７】
また、金属板１２の下部に設けられた第２の部分１２Ｃには、三脚座９が支持されて配置されている。この三脚座９は、図２に示すように、外装ケース４の下部に固定されて配置される。さらに、金属板１２の三脚座９を支持する第２の部分１２Ｃは、三脚座９の両側に、光軸方向と同一方向となるように形成した２本のリブ１２Ｅを有する。このリブ１２Ｅは、金属板１２の第２の部分１２Ｃに押し出し加工を施すことにより一体に形成されている。
【００１８】
さらに、金属板１２の第１の部分１２Ａにおいて、半導体１０に機械的に接触する部分である盛上り部１２Ｄと三脚座を支持する第２の部分１２Ｃとの間には、第１の部分１２Ａの一部を切り欠いて第２の部分１２Ｂ、１２Ｃとほぼ平行となるような方向に切り起こすことにより、スリット１２Ｆが形成されている。
【００１９】
ここで、図３に示す例では、金属板１２の第２の部分１２Ｃに三脚座９を固定したが、金属板１２とは別に、三脚座９を支持する金属板を設け、金属板１２に三脚座９を支持する金属板を機械的に接続する構成としてもよい。この場合、三脚座９を支持する金属板に、光軸方向と同一方向となるように２本のリブ１２Ｅを形成すればよい。
【００２０】
本技術による撮像装置は、外装ケース４背面側に配置され、撮像ユニットからの信号を処理する半導体１０を搭載した回路基板１１と、外装ケース４内において撮像ユニットと回路基板１１との間に配置された金属板１２とを有する。金属板１２は、回路基板１１に対向し、半導体１０に当接部材１３を介して機械的に接触する第１の部分１２Ａと、第１の部分１２Ａに一体に設けられ、光軸方向と平行になるように折り曲げることにより形成した少なくとも２つの第２の部分１２Ｂ、１２Ｃとを備えている。これにより、金属板１２は、平板の場合と比べ、光軸方向の変位に対する曲げ剛性を高めることが可能となる。また、金属板１２は、当接部材１３を介して、半導体１０および回路基板１１と間接的に機械的に接触しており、これにより半導体１０と回路基板１１は、撮像装置を落下させてしまった場合に受ける衝撃などにより変形させようとする力を受けにくくなる。
【００２１】
図４は、撮像装置を落下させてしまった場合に回路基板が受ける変形の概念を示す説明図である。なお、図４は、図３の矢印Ｘ方向から回路基板１１を見たときの変形の様子を示している。撮像装置を落下させてしまった場合に受ける衝撃などにより、回路基板１１は、図４の一点鎖線で示すように、変形させようとする力が働き、回路基板１１および半導体１０が破損してしまうおそれがある。本技術によれば、金属板１２の曲げ剛性が高まり、さらに半導体１０および回路基板１１は、金属板１２に間接的に機械的に接触していることから、回路基板１１の変形を抑制することが可能となる。
【００２２】
また、金属板１２は、第２の部分１２Ｃにより三脚座９を支持する構造、または三脚座９を支持する別の金属板に機械的に接続する構造とし、さらに三脚座９の両側に光軸方向と同一方向となるように形成したリブを有する構造としている。これにより、三脚座９を支持する部分の曲げ剛性も高めることができ、光軸方向に対して上下方向の変形を抑制することが可能となる。
【００２３】
さらに、金属板１２の第１の部分１２Ａにおいて、半導体１０に機械的に接触する部分である盛上り部１２Ｄと三脚座９を支持する第２の部分１２Ｃとの間には、第１の部分１２Ａの一部を切り欠いて第２の部分１２Ｂ、１２Ｃとほぼ平行となるような方向に切り起こすことにより、スリット１２Ｆが形成されている。これにより、スリット１２Ｆがない場合に比べ、半導体１０から伝わる熱が三脚座９側に熱伝導しにくくなり、三脚座９が熱くなることを防ぐことができる。しかも、スリット１２Ｆは、金属板１２の一部を、第２の部分１２Ｂ、１２Ｃとほぼ平行となるような方向に切り起こすことにより形成しており、さらに金属板１２の光軸方向の変位に対する曲げ剛性を高めることができる。
【００２４】
以上のように、本技術における技術の例示として、実施の形態を説明した。そのために、添付図面および詳細な説明を提供した。
【００２５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００２６】
また、上述の実施の形態は、本技術における技術を例示するためのものであるから、請求の範囲またはその均等の範囲において種々の変更、置き換え、付加、省略などを行うことができる。
【産業上の利用可能性】
【００２７】
本技術によれば、レンズ交換式のデジタルカメラなどの撮像装置の堅牢性を向上させる上で、有用な発明である。
【符号の説明】
【００２８】
１    カメラ本体
２    レンズユニット
３    鏡筒
４    外装ケース
５    レリーズ釦
６    操作レバー
７    電子ビューファインダー
８    表示部
９    三脚座
１０    半導体
１１    回路基板
１２    金属板
１２Ａ    第１の部分
１２Ｂ，１２Ｃ    第２の部分
１２Ｄ    盛上り部
１２Ｅ    リブ
１２Ｆ    スリット
１３    当接部材
【手続補正２】
【補正対象書類名】特許請求の範囲
【補正対象項目名】全文
【補正方法】変更
【補正の内容】
【特許請求の範囲】
【請求項１】
外装ケース内に収容され、被写体を撮像する撮像ユニットと、前記外装ケース内において背面側に配置され、前記撮像ユニットからの信号を処理する半導体を搭載した回路基板と、前記外装ケース内において前記撮像ユニットと回路基板との間に配置され、前記外装ケースに固定された金属板とを有し、
前記金属板は、前記回路基板に対向し、前記半導体に当接部材を介して機械的に接触する第１の部分と、前記第１の部分に一体に設けられ、前記撮像ユニットの光軸方向に折り曲げた少なくとも２つの第２の部分とを備えたことを特徴とする撮像装置。
【請求項２】
前記金属板は、三脚座を支持する金属板に機械的に接続されるように構成した請求項１に記載の撮像装置。
【請求項３】
前記三脚座を支持する金属板は、三脚座の両側に光軸方向と同一方向となるように形成したリブを有することを特徴とする請求項２に記載の撮像装置。
【請求項４】
外装ケース内において被写体側の前面側に配置され、被写体を撮像する光学系と撮像素子とから構成される撮像ユニットと、前記外装ケース内において背面側に配置され、前記撮像ユニットからの信号を処理する半導体を搭載した回路基板と、前記外装ケース内において前記撮像ユニットと回路基板との間に配置され、前記外装ケースに固定された金属板とを有し、
前記金属板は、前記回路基板に対向し、前記半導体に当接部材を介して機械的に接触する第１の部分と、前記第１の部分に一体に設けられ、前記撮像ユニットの光軸方向に折り曲げた少なくとも２つの第２の部分とを備え、
前記金属板の下部に設けた第２の部分に三脚座を支持して配置したことを特徴とする撮像装置。
【請求項５】
前記金属板の三脚座を支持する第２の部分は、三脚座の両側に光軸方向と同一方向となるように形成したリブを有することを特徴とする請求項４に記載の撮像装置。
【請求項６】
前記金属板の第１の部分は、半導体に機械的に接触する部分と三脚座を支持する第２の部分との間に、スリットを有することを特徴とする請求項５に記載の撮像装置。
【手続補正３】
【補正対象書類名】図面
【補正対象項目名】全図
【補正方法】変更
【補正の内容】
【図１】
2014136413.tif 000007
【図２】
2014136413.tif 000008
【図３】
2014136413.tif 000009
【図４】
2014136413.tif 000010
【国際調査報告】
2014136413.tif 000011
2014136413.tif 000012
2014136413.tif 000013
2014136413.tif 000014